(57)【特許請求の範囲】
【請求項１】
胸部に設けられる左右のカップ部の上縁にストラップの一端を取り付け、前記カップ部の脇側周縁及び下縁脇側寄りに沿って、伸長し難く、且つ、可撓性がある素材より成るサポートシートを装着し該サポートシートの上端、外側端及び下端を、それぞれ前記カップ部のストラップ取付部近傍、脇側周縁及び下縁に沿って配置し、前記サポートシートの内側端を前記カップ部のストラップ取付部近傍からその直下よりもやや外方に向かって略直線状に配置することによって、該サポートシートを細幅に形成したことを特徴とするカップ付き女性用衣類。
【請求項２】
弾性体を芯とするカップ本体部の表面又は裏面にサポートシートを重合して、前記カップ部にサポートシートを装着した請求項１に記載のカップ付き女性用衣類。
【請求項３】
弾性体を芯とするカップピースと、サポートシートを装着したカップピースとをつなぎ合わせてカップ本体部を形成することにより、前記カップ部にサポートシートを装着した請求項１に記載のカップ付き女性用衣類。
【発明の詳細な説明】
【０００１】
【発明の属する技術分野】
本発明は、ブラジャー、水着、ブラスリップ等のカップ付き女性用衣類に関する。
【０００２】
【従来の技術】
バストを形良く補整するために、バストの寄せ上げ機能を持たせたカップ付き女性用衣類が種々提案されている。
例えば、カップの下側部から脇側部にかけて伸縮性のサポート布を配置した乳房受けカップを有する衣類が特許第２５２９９３０号公報、特許第２６９８７５５号公報等に開示されている。
しかし、これらのものは、カップの外側縁から下部内側寄りにまで達する幅広いサポート布を用いると共に、サポート布が伸長し易いので、サポート力が分散しやすくて脇部の補整効果がやや劣り、乳房の外半部が面状に押さえつけられて自然な形状に造形しにくいものであった。
【０００３】
そこで、カップ部の下縁湾曲部の脇側末端からカップ部の上端部に亘るカップ部の脇側縁部に、肩ストラップの前側部分に対して滑らかに連続するようテープ状の補強部材を配設したカップ付き女性用衣類が、特開２０００−６４１０５号公報として提案された。
ところが、このように全長に亘って同幅のテープ状の補強部材を脇側縁のみに装着すると、乳房が外へ流れようとするのを防ぐことはできるが、バストを上方へ引き上げる効果は不十分であった。
【０００４】
また、この公報には、バストの寄せ上げ効果を高めるために、肩ストラップの前側から下方に延び、カップの下縁に至る別のテープ状補強部材を装着する技術も記載されている。
しかしながら、複数のテープを装着するのは面倒であり、細いテープでカップ下縁を吊り上げると、乳房の重みがカップ下縁に集中的に加わって食い込みやすいばかりか、乳房形状の自然な丸みを阻害する心配があった。
【０００５】
【発明が解決しようとする課題】
この発明は、乳房が外へ流れるのを防止し、かつ、高い寄せ上げ機能を発揮してバストを自然で美しい形状に造形することができ、重量が加わる乳房下部への圧力を分散させて食い込みを防ぎ、しかも製造が容易なカップ付き女性用衣類を提供することを課題とする。
【０００６】
【課題を解決するための手段】
本発明のカップ付き女性用衣類は、胸部に設けられる左右のカップ部の脇側周縁及び下縁脇側寄りに沿って、伸長し難く、且つ、可撓性がある素材より成り、下端の幅が上端の幅よりも広い細幅のサポートシートを装着する。
サポートシートの下端を幅広くしてカップ部の下縁脇側寄りに装着した構成により、バストを内側に引き寄せるだけでなく、上方に引き上げることができ、しかも、乳房の下半部に加わる圧力を分散させて、食い込みを防ぐ。
サポートシートを伸長し難い素材で細幅に形成したことによって、カップ部の下縁に連続するサポート効果の高いサイド枠部が形成され、乳房の自然な形状を損なわずに補整効果を高める。
１枚のサポートシートを取り付けるだけなので、製造が容易である。
【０００７】
カップ部の上縁にストラップの一端を取り付け、サポートシートの上端、外側端及び下端を、それぞれカップ部のストラップ取付部近傍、脇側周縁及び下縁に沿って配置し、サポートシートの内側端をカップ部のストラップ取付部近傍からその直下よりもやや外方に向かって略直線状に配置することもできる。
サポートシートがカップ部の外側縁寄りの狭い範囲に装着されるので、脇部を押さえる効果が高くて圧迫感が無く、サポートシートによって引き上げられたバストの重量が直接ストラップに加わって、いっそうバストの寄せ上げ効果が高まる。
カップ部へサポートシートを装着するには、弾性体を芯とするカップ本体部の表面又は裏面にサポートシートを重合しても良いし、段差ができないように、弾性体を芯とするカップピースと、サポートシートを装着したカップピースとをつなぎ合わせてカップ本体部を形成しても良い。
【０００８】
【発明の実施の形態】
以下、本発明の第１の実施形態であるブラジャー１について、図１及び２に基づき詳細に説明する。
図１に示すように、ブラジャー１は、左右一対のカップ部２と、各カップ部２の外縁下部に装着された脇布３と、脇布３の外端部から背部に延びるバックベルト４と、両端がそれぞれカップ部２の上縁及びバックベルト４の上縁先端寄りに取り付けられたストラップ５とを有する。
また、ブラジャー１の下縁裏面に沿って、並びに、カップ部２の脇側周縁２ｂ、脇布３及びバックベルト４の上縁裏面に沿って、それぞれ伸縮性テープ７が装着されている。
【０００９】
左右のカップ部２は、それぞれ、乳房形状に成形したポリウレタン等の弾性体の表裏両面にライニング布を重合して成るカップ本体部９と、その表面に重合されたチュールレース等の表布８と、カップ本体部９に設けられたサポートシート６とを備える。
カップ本体部９は、複数のピースを縫い合わせたものであっても、シームレスのものであっても良い。
また、カップ部２の下縁に沿ってワイヤを配設したり、カップ部２の裏面に、部分パッドを着脱自在に収納するためのポケットを形成することもある。
【００１０】
カップ本体部９の表面若しくは裏面には、その脇側周縁２ｂ及び下縁２ｃ脇側寄りに沿って、サポートシート６を装着してある。
サポートシート６は、伸長し難く、且つ、可撓性のある素材より成る。このような素材としては、例えば、綿、アラミド繊維、アラミド繊維とポリエステルやナイロンとの混紡繊維等を用いた伸縮性の乏しい各種織布又は不織布、合成樹脂を含浸させた織布又は編布、或いは、合成樹脂シート等がある。
【００１１】
図２に示すように、サポートシート６は細幅であって、下端６ｃの幅が上端６ａの幅よりも広く形成され、その外側端６ｂはカップ部２の脇側周縁２ｂに沿うよう湾曲している。
そして、図１に示すように、サポートシート６の上端６ａ、外側端６ｂ及び下端６ｃが、それぞれカップ部２のストラップ取付部２ａ近傍、脇側周縁２ｂ及び下縁２ｃに沿って縫いつけられている。サポートシート６をカップ部２に装着するには、表布８とカップ本体部９を縫着する際に、カップ本体部９の表面或いは裏面にサポートシート６を重ねて同時に縫製すればよい。
【００１２】
さらに、サポートシート６の内側端は、カップ部２のストラップ取付部２ａ近傍からその直下よりもやや外方に向かって略直線状に延びる。
即ち、サポートシート６の幅は、最大の下端６ｃの幅でも、カップ部２の下縁２ｃにおいて、ストラップ取付部２ａの直下から脇側端縁までの長さよりも狭くなっている。
なお、サポートシート６の内側端は、カップ本体部９に縫いつけても良いし、分離した状態であっても良い。
【００１３】
図３は、本発明の第２の実施形態であるブラジャー１を示す。
このブラジャー１においては、表裏両面にライニング布を重ねたポリウレタン等の弾性体より成る複数（図に示す例では２個）のカップピース９’と、ポリウレタン等の弾性体或いは不織布にサポートシート６を重ね、さらに、表裏両面にライニング布を重ねて成るカップピース９”とを、乳房形状に縫い合わせてカップ本体部９を形成してある。
サポートシート６は、図２に示すものとほぼ同形であって、その外側端６ｂ及び下端６ｃが、それぞれカップ本体部９の脇側縁及び下縁を構成する。
また、サポートシート６には、伸長し難くて可撓性があり、しかも、縫着可能な素材を用い、カップピース９”はカップピース９’と近似した厚みとする。
【００１４】
このように、サポートシート６を装着したカップピース９”とカップピース９’とをつなぎ合わせてカップ本体部９を形成すると、カップ本体部９にサポートシート６を重合したもののように段差ができないので、着用感が良好で体裁もよい。
その他の構成は、第１の実施形態とほぼ同様なので、同一部分に同一符号を付して、詳細な説明を省略する。
【００１５】
第１及び第２の実施形態のように、カップ本体部９に適度な伸縮性を有するポリウレタン等の弾性体を用いると、サポートシート６によって内側上方に寄せ上げられたバストを、食い込んだり圧迫することなく良好な着用感で美しいシルエットに形作ることができる。
なお、本発明はブラジャー以外にも、胸部にカップ部を設けたブラキャミソール、ブラスリップ、水着、スリップドレス、ボディスーツ等の女性用衣類に適用することができる。
【００１６】
【発明の効果】
請求項１に係る発明によれば、カップ部の脇側周縁及び下縁脇側寄りに沿って、伸長し難い細幅のサポートシートを装着してあるので、カップ部の下縁に連続するサポート効果の高いサイド枠部が形成され、この結果、バストが外側に流れるのを確実に防いで内側に引き寄せ、しかも、バストを広い範囲で面状に押さえることがなく、自然な形状に美しく補整する。
また、サポートシートは下端の幅が広く形成されているため、バストを押し上げる効果が高く、乳房の下部に加わる圧力が分散されるので、肌に食い込む心配がない。
さらに、１枚のサポートシートを取り付けるだけで済むため、製造が容易である。
【００１７】
さらに、サポートシートがカップ部の外側縁寄りの狭い範囲に装着されるので、脇部を押さえる効果が高くて圧迫感が無く、サポートシートによって引き上げられたバストを、ストラップにより上方に吊り上げることができるので、いっそうバストの寄せ上げ効果が高まる。
請求項３に係る発明によれば、サポートシートを装着したことによってカップ部に段差ができないので、着用感や見栄えが低下する心配がない。
【図面の簡単な説明】
【図１】本発明の第１の実施形態を示すブラジャーの裏面斜視図
【図２】サポートシートの正面図
【図３】本発明の第２の実施形態を示すブラジャーの裏面斜視図
【符号の説明】
１  ブラジャー
２  カップ部
２ａ  ストラップ取付部
２ｂ  脇側周縁
２ｃ  下縁
３  脇布
４  バックベルト
５  ストラップ
６  サポートシート
６ａ  上端
６ｂ  外側端
６ｃ  下端
７  伸縮性テープ
８  表布
９  カップ本体部
９’，９”  カップピース
【図１】
0004717201.tif 000002
【図２】
0004717201.tif 000003
【図３】
0004717201.tif 000004